(57)【要約】  少なくとも２つの手荷物用品部分（２，４）を有する手荷物用品（１）、特にスーツケースにおいて、手荷物用品部分（２，４）はそれぞれ、少なくとも一つの手荷物用品壁部内側面（３，５）および少なくとも一つの手荷物用品壁部外側面（５，７）を有する少なくとも一つの手荷物用品壁部を備え、少なくとも一つの手荷物用品部分（２，４）は、少なくとも一つの角（３２）を備え、少なくとも一つの手荷物用品部分（２，４）の少なくとも一つの角（３２）において、手荷物用品壁部内側面（３，５）に角補強材（１４，１５）が設けられることが意図されている。
2017502747.tif 000002
【特許請求の範囲】
【請求項１】
少なくとも２つの手荷物用品部分（２，４）を有する手荷物用品（１）、特にスーツケースであって、前記手荷物用品部分（２，４）はそれぞれ、少なくとも一つの手荷物用品壁部内側面（３，５）および少なくとも一つの手荷物用品壁部外側面（５，７）を有する少なくとも一つの手荷物用品壁部を備え、少なくとも一つの手荷物用品部分（２，４）が、少なくとも一つの角（３２）を備える手荷物用品であって、
少なくとも一つの手荷物用品部分（２，４）の前記少なくとも一つの角（３２）において、前記手荷物用品壁部内側面（３，５）に角補強材（１４，１５）が設けられていることを特徴とする手荷物用品。
【請求項２】
角補強材（１４，１５）が内側面（２２，２８）および外側面（１６，２６）を備え、前記角補強材（１４，１５）の前記外側面（１６，２６）が手荷物用品（２，４）の角（３２）における手荷物用品壁部内側面（３，５）に取り付けられ、前記外側面（１６，２６）の輪郭は前記手荷物用品壁部内側面（３，５）における前記角（３２）の形状に適合されていることを特徴とする請求項１に記載の手荷物用品（１）。
【請求項３】
角補強材（１４，１５）は、内側面（２２，２８）に補強輪郭（２３，２９）を備えることを特徴とする請求項１または請求項２に記載の手荷物用品（１）。
【請求項４】
補強輪郭（２３，２９）の形状が、手荷物用品（１）の使用中に角（３２）に作用する力に適合されていることを特徴とする請求項３に記載の手荷物用品（１）。
【請求項５】
補強輪郭（２３，２９）は、角補強材（１４，１５）の内側面（２２，２８）において、少なくとも一つのリブ状の隆起部（２４，３０，３１）によって画成されることを特徴とする請求項３または請求項４に記載の手荷物用品（１）。
【請求項６】
角補強材（１４，１５）は、リブ状の隆起部（２４）が内側面（２２，２８）に設置されている箇所において、少なくとも一つの溝状凹部（１８，２７）を外側面（１６，２６）に備えることを特徴とする請求項５に記載の手荷物用品（１）。
【請求項７】
角補強材（１４，１５）は、少なくとも３つのリブ状の隆起部（１８）を内側面（２２）に備えることを特徴とする請求項５または請求項６に記載の手荷物用品（１）。
【請求項８】
角補強材（１４，１５）は、少なくとも４つのリブ状の隆起部（３０，３１）を内側面（２２）に備えることを特徴とする請求項５〜請求項７のいずれか一項に記載の手荷物用品（１）。
【請求項９】
角補強材（１４，１５）の外側面（１６，２６）は、好ましくは熱接着により、手荷物用品壁部内側面（３，５）に接着されることを特徴とする請求項１〜請求項８のいずれか一項に記載の手荷物用品（１）。
【請求項１０】
少なくとも一つの角補強材（１４，１５）を備えた手荷物用品（１）を、
各々が、手荷物用品壁部内側面（３，５）および手荷物用品壁部外側面（７，９）を有する手荷物用品壁部を備える少なくとも２つの手荷物用品部分（２，４）を製造し、
少なくとも一つの手荷物用品部分（２，４）の少なくとも一つの角（３２）のための少なくとも一つの角補強材（１４，１５）を製造し、この場合、前記角補強材（１４，１５）は、内側面（２２，２８）に補強輪郭（２３，２９）を備え、
少なくとも一つの手荷物用品部分（２，４）の前記少なくとも一つの角（３２）において、前記少なくとも一つの角補強材（１４，１５）を前記手荷物用品部分（２，４）の前記手荷物用品壁部内側面（３，５）に取り付けることによって、製造する方法。
【請求項１１】
補強輪郭（２３，２９）の形状は、手荷物用品（２，４）の使用中に前記角に生じる力に適合されていることを特徴とする請求項１０に記載の方法。
【請求項１２】
補強輪郭（２３，２９）は、角補強材（１４，１５）の内側面において、少なくとも一つのリブ状の隆起部（２４，３０，３１）によって画成されることを特徴とする請求項１０または請求項１１に記載の方法。
【請求項１３】
角補強材（１４，１５）は、射出成形によって製造されることを特徴とする請求項１０〜請求項１２のいずれか一項に記載の方法。
【請求項１４】
角補強材（１４，１５）が手荷物用品壁部内側面（３，５）に接着され、その接着は、好ましくは、熱接着によって行われることを特徴とする請求項１０〜請求項１３のいずれか一項に記載の方法。
【発明の詳細な説明】
【技術分野】
【０００１】
本発明は、請求項１の前提部による手荷物用品、および請求項１０による手荷物用品を製造する方法に関する。
【背景技術】
【０００２】
少なくとも２つの手荷物用品部分を備える手荷物用品、特にハードシェルスーツケースが知られている。各手荷物用品部分は、少なくとも一つの手荷物用品壁部内側面と、少なくとも一つの手荷物用品壁部外側面とを有する少なくとも一つの手荷物用品壁部を備えている。少なくとも一つの手荷物用品部分は、少なくとも一つの角を備えている。好ましくは、各手荷物用品部分は、４つの角を備えている。
【発明の概要】
【発明が解決しようとする課題】
【０００３】
より軽い手荷物用品を製造することに対する要求が高まっている。他方で、それらの手荷物用品は、旅行中に多くの衝突や衝撃を受けるため、非常に頑丈でなければならない。軽くなった手荷物用品は、特に手荷物用品部分の角が凹みや膨らみに弱いという不都合がある。
【０００４】
そのため、本発明の目的は、非常に頑丈な手荷物用品を提供することおよびその手荷物用品を製造する方法を提供することである。
【０００５】
本目的は、請求項１および請求項１０の特徴によって達成される。
【課題を解決するための手段】
【０００６】
有利な方法においては、少なくとも一つの手荷物用品部分の少なくとも一つの角において、手荷物用品壁部内側面に角補強材が設けられることが意図されている。
【０００７】
このことは、その手荷物用品が、その手荷物用品が特に凹み等を起こしやすい領域で補強されるという利点を提供する。角補強材は内側面および外側面を備え、角補強材の外側面は手荷物用品の角において手荷物用品壁部内側面に取り付けられ、その外側面の輪郭は手荷物用品壁部内側面における角の形状に適合される。
【０００８】
このことは、その手荷物用品の外観が変わらないという利点を提供する。さらに、手荷物用品は通常通り製造し続けることができ、またその角補強材は後で取り付けることができる。角補強材は、その内側面に補強輪郭を備えていてもよい。このことは、その角補強材によって、特に大きな力を吸収することができるという利点を提供する。補強輪郭は特に角補強材の曲げ剛性を向上させる可能性があり、したがって、手荷物用品部分の角の曲げ剛性を向上させる可能性がある。したがって、角の凹みを大幅に低減することができる。
【０００９】
補強輪郭の形状は、その手荷物用品の使用中に角に作用する力に適応させることができる。このことは、各手荷物用品が、それに応じて適応された補強輪郭を有する適格に適応された角補強材を個別に備えてもよいという利点を提供する。さらに、このことは、その補強輪郭が大きめの寸法を有する必要がないように、使用中に作用する力に補強輪郭が適応されるという利点を提供する。このことは、補強輪郭も非常に軽くなる可能性があり、および手荷物用品の重さが大幅に増加しないという利点を提供する。補強輪郭は、角補強材の内側面における少なくとも一つのリブ状の隆起部によって画成することができる。
【００１０】
角補強材は、リブ状の隆起部が内側面に配置されている箇所における外側面に、少なくとも一つの溝状凹部を備えることができる。このことは材料ひいては重量を少なくすることができるという利点を提供し、この場合、角補強材の補強特性は低下せず、またはごくわずか低下するにすぎない。
【００１１】
角補強材は、その内側面に少なくとも３つのリブ状の隆起部を備えていてもよい。
【００１２】
角補強材は、その内側面に少なくとも４つのリブ状の隆起部を備えていてもよい。
【００１３】
角補強材の外側面は、手荷物用品壁部内側面に接着することができる。好ましくは、角補強材の外側面は、熱接着により、手荷物用品壁部内側面に接着することができる。
【００１４】
さらに、本発明によれば、角補強材を備えた手荷物用品を製造する方法が提供され、その方法は、以下のステップ、すなわち、
各々が手荷物用品壁部内側面および手荷物用品壁部外側面を備える少なくとも２つの手荷物用品部分を製造するステップと、
少なくとも一つの手荷物用品部分の少なくとも一つの角のための少なくとも一つの角補強材を製造するステップであって、その角補強材がその内側面に補強輪郭を備えるステップと、
少なくとも一つの手荷物用品部分の少なくとも一つの角において、少なくとも一つの角補強材を手荷物用品の手荷物用品壁部内側面に取り付けるステップと、
を備えている。
【００１５】
補強輪郭の形状は、手荷物用品の使用中に角に生じる力に適応させることができる。
【００１６】
補強輪郭は、角補強材の内側面における少なくとも一つのリブ状の隆起部によって画成することができる。
【００１７】
角補強材は、射出成形によって製造してもよい。角補強材は、手荷物用品壁部内側面に接着することができ、その接着は、好ましくは、熱接着によって実行される。
【図面の簡単な説明】
【００１８】
以下、図面を参照して本発明を詳細に説明する。
【図１】手荷物用品を概略的に示す図である。
【図２】図１の開いた手荷物用品を概略的に示す図である。
【図３】角補強材を概略的に示す図である。
【図４】図３の角補強材を概略的に示し、その内側面を見ている図である。
【図５】代替的な角補強材を概略的に示す図である。
【図６】図５の角補強材を概略的に示し、その内側面を見ている図である。
【図７ａ】手荷物用品を製造する方法に関するステップを概略的に示す図である。
【図７ｂ】手荷物用品を製造する方法に関するステップを概略的に示す図である。
【図７ｃ】手荷物用品を製造する方法に関するステップを概略的に示す図である。
【発明を実施するための形態】
【００１９】
図１は手荷物用品１を示す。手荷物用品１はスーツケース、具体的には、図示されている例示的な実施形態のようなハードシェルスーツケースであってもよい。手荷物用品１は、第１の手荷物用品部分２と、第２の手荷物用品部分４とを備えている。手荷物用品部分２，４は、ジッパー６によって互いに接続されている。手荷物用品１は、キャスター、特にそれによって手荷物用品１が床上を移動するように適応されるスイベルキャスターをさらに備えている。さらに、手荷物用品１は、伸縮式ハンドル１０と、グラブハンドル１２とを備えている。各手荷物用品部分２，４は、手荷物用品壁部内側面３，５と、手荷物用品壁部外側面７，９とを有する手荷物用品壁部を備えている。手荷物用品１は、角３２，３４をさらに備えている。角３４は、手荷物用品の下端３６に配置されている。各角３４には、キャスター８が配置されている。手荷物用品の上端３８には、角３２が配置されている。
【００２０】
図２には、図１の手荷物用品が、その開いた状態で図示されている。その手荷物用品は、内部に、ライニングファブリック１１および仕切り手段１３を備えている。図２においては、角３２における手荷物用品壁部内側面３の部分が見えるように、仕切り手段１３およびライニングファブリック１１の部分は図示されていない。
【００２１】
図２に図示されているように、角補強材１４は、角３２における手荷物用品壁部内側面３に配置されている。角補強材１４は、少なくとも一つの角３２に配置されるが、好ましくは、すべての角３２に配置される。
【００２２】
図３および図４には、角補強材１４が詳細に図示されている。
【００２３】
角補強材１４は、外側面１６を備えている。外側面１６は、好ましくは、手荷物用品壁部内側面３における角３２の輪郭に適合されている。角補強材１４は、好ましくは、角３２において、外側面１６が手荷物用品壁部内側面３に取り付けられ、具体的には、接着されている。
【００２４】
角補強材１４は、その内側面２２に、補強輪郭２３をさらに備えている。補強輪郭２３は手荷物用品１の使用中に角３２に作用する力に適応され、その結果、角３２は角補強材１４の補強輪郭によって補強されて、その力を吸収することができる。
【００２５】
図示されている例示的な実施形態において、補強輪郭２３は、リブ状の隆起部２４によって画成されている。図３および図４に図示されている例示的な実施形態において、角補強材１４は、互いに約１２０°の角度でオフセットされている３つのリブ状の隆起部２４を備えている。リブ状の隆起部２４の高さおよび形状は、使用中の角３２に作用する力の量に適応されている。図３および図４に図示されている角補強材は、３つの角２０を備えている。
【００２６】
取扱い中または使用中に生じる力は、例えば落下試験によって測定され、この場合手荷物用品は所定の高さから床に落下される。例えば有限要素法を適用するコンピュータプログラムを用いて、リブ状の隆起部の形状および数、ひいては補強輪郭の形状を測定することができる。しかし、補強輪郭は、リブ状の隆起部に限定されない。
【００２７】
角補強材１４の外側面１６においては、リブ状の隆起部２４が内側面２２に配置されている箇所に溝形凹部１８を配置してもよい。図示されている例示的な実施形態において、溝状凹部１８は、中空であり、および外側面１６で閉じていないリブ状の隆起部２４によって設けられている。
【００２８】
リブ状の隆起部２４が内側面２２に配設されている箇所における外側面に溝状凹部１８が配置されているため、溝形凹部１８は、角補強材の補強特性を低下させるまたはそれを制限することなく材料を節約することができるという利点を提供する。さらに、角補強材１４は、溝状凹部１８を備えることにより、製造が容易である。したがって、角補強材は、深絞りによって製造してもよい。しかし、角補強材１４は、好ましくは、射出成形によって製造される。
【００２９】
図５および図６には、代替的な角補強材が図示されている。この角補強材１５は、代替的な手荷物用品１の角補強材として設けられるが、それは、図１および図２で説明した手荷物用品１と同じ要素を備えている。しかし、手荷物用品１は、手荷物用品の取扱い中または使用中に、角３２に異なる力が作用するため、異なるサイズおよび幅を有している。このようにして、代替的な角補強材１５が得られる。図５および図６に図示されている角補強材１５は、手荷物用品１の手荷物用品壁部内側面３に適合されている外側面２６も備えている。
【００３０】
角補強材１５は、その内側面２８に補強輪郭２９も備えている。補強輪郭２９は、４つのリブ状の突出部３０，３１を備えている。リブ状の突出部３０は、リブ状の突出部３１よりも幅広になっている。また、角補強材１５の補強輪郭２９も、対応する手荷物用品の対応する角に作用する力に適応されている。したがって、この場合、その補強輪郭は、４つのリブ状の突出部３０，３１を備えており、それらのリブ状の突出部のうちの２つは、他の２つのリブ状の突出部よりも幅広になっている。角補強材１５の外側面２６においても、リブ状の突出部３０，３１が配設されている箇所に、溝状凹部２７が配置されている。それらは、角補強材１４のリブ状の凹部１８と同じ利点を提供している。
【００３１】
図７ａ〜図７ｃには、少なくとも一つの角補強材を備えた手荷物用品を製造する方法に関する製造工程が図示されている。図７ａは、少なくとも２つの手荷物用品部分２，４をどのように製造するのかが図示されている。より良好に見渡すために、図７ａは、一つの手荷物用品部分２，４のみを図示している。手荷物用品部分２，４は、それぞれ、手荷物用品壁部内側面３，５および手荷物用品壁部外側面７，９を備えている。さらに、図７ｂに図示されているように、手荷物用品部分２，４の少なくとも一つの角のための少なくとも一つの角補強材が製造される。角補強材１４は、その内側面２２に、補強輪郭２３を備えている。補強輪郭の形状は、好ましくは、手荷物用品１の使用中に角３２に生じる力に適合されている。補強輪郭は、例えば、リブ状の隆起部によって画成してもよい。
【００３２】
図７ｃは、少なくとも一つの角補強材１４が、少なくとも一つの手荷物用品部分２，４の少なくとも一つの角３２において、手荷物用品部分２，４の手荷物用品壁部内側面３，５に既に取り付けられているということを図示している。角補強材１４は、好ましくは、手荷物用品壁部内側面３，５に接着され、この場合、角補強材１４は、好ましくは、熱接着により手荷物用品壁部内側面３，５に接着される。
【００３３】
角補強材１４は、例えば、図３および図４に図示されている角補強材とすることができる。さらに、手荷物用品１を製造する方法は、例えば、ジッパー等を用いて２つの手荷物用品部分を接続するステップ、伸縮式ハンドル１０およびグラブハンドル１２を取り付けるステップ、ライニングファブリック１１および仕切り手段１３を施すステップ、キャスター、具体的にはスイベルキャスター８を取り付けるステップ等をさらに含んでもよい。さらに、その方法は、ここでは述べていないステップをさらに含んでもよい。
【図１】
2017502747.tif 000003
【図２】
2017502747.tif 000004
【図３】
2017502747.tif 000005
【図４】
2017502747.tif 000006
【図５】
2017502747.tif 000007
【図６】
2017502747.tif 000008
【図７ａ】
2017502747.tif 000009
【図７ｂ】
2017502747.tif 000010
【図７ｃ】
2017502747.tif 000011
【国際調査報告】
2017502747.tif 000012
2017502747.tif 000013
2017502747.tif 000014
2017502747.tif 000015